(57)【要約】【課題】入退場時に、本人と顔写真のチェックを行わない場合でも、入場証の不正使用を警告表示として確認することができる入退場管理サーバを提供する。【解決手段】入退場管理サーバにおいて、ゲート３０に内蔵されたＩＣタグリーダからのＩＣタグ情報に基づいて、スタッフ２０の入退場を管理し、ゲート３０に内蔵されたＩＣタグリーダからのＩＣタグ情報、スタッフ情報７１、および入退場履歴情報７２に基づいて、スタッフ２０の入場に関する認証を行い、その認証結果をゲート３０に設置された認証結果表示装置４０に表示させる。【選択図】図１
2007323141.tif 000002
【特許請求の範囲】
【請求項１】
制限区域のゲートに内蔵または設置され、前記制限区域に入退場するスタッフが携帯するＩＣタグの情報を読み取るＩＣタグ読み取り装置からのＩＣタグ情報に基づいて、前記スタッフの入退場を管理する入退場管理サーバであって、
前記入退場管理サーバは、前記ＩＣタグに関連する前記スタッフの情報からなるスタッフ情報、前記ＩＣタグの読み取り履歴からなる入退場履歴情報を格納し、前記ＩＣタグ読み取り装置からのＩＣタグ情報、前記スタッフ情報、および前記入退場履歴情報に基づいて、前記制限区域内への前記スタッフの入場に関する認証を行い、その認証結果を前記ゲートに設置された認証結果表示装置に表示させることを特徴とする入退場管理サーバ。
【請求項２】
請求項１記載の入退場管理サーバにおいて、
前記入退場管理サーバは、業種毎に入場制限回数の情報からなる業種情報を格納し、前記ＩＣタグ読み取り装置からのＩＣタグ情報に基づいて、入場回数を算出し、算出した入場回数および前記業種毎の入場制限回数の情報に基づいて、前記スタッフを認証することを特徴とする入退場管理サーバ。
【請求項３】
請求項１記載の入退場管理サーバにおいて、
前記入退場管理サーバは、前記スタッフの作業予定の情報からなる作業予定情報を格納し、前記ＩＣタグ読み取り装置からのＩＣタグ情報の読取日時および前記作業予定情報に基づいて、前記スタッフを認証することを特徴とする入退場管理サーバ。
【請求項４】
請求項３記載の入退場管理サーバにおいて、
前記ＩＣタグ読み取り装置からのＩＣタグ情報および前記入退場履歴情報に基づいて、前記スタッフの滞在時間を算出し、算出した滞在時間および前記作業予定情報に基づいて、前記スタッフを認証することを特徴とする入退場管理サーバ。
【請求項５】
請求項１〜４のいずれか１項記載の入退場管理サーバにおいて、
前記入退場履歴情報のそれぞれの履歴に対して無効化フラグを設け、
前記入退場管理サーバは、前記無効化フラグが有効な情報に対しては、前記認証時に除外して認証を行うことを特徴とする入退場管理サーバ。
【発明の詳細な説明】
【技術分野】
【０００１】
本発明は、制限区域への入退場管理を行う入退場管理サーバに関し、特に、ＩＤカードなどの不正利用の検出に適用して有効な技術に関する。
【背景技術】
【０００２】
従来、コンサート会場やイベント会場などでのスタッフの入退場管理は、顔写真付き入場証などで行われていたが、限られた警備員数で、出入りする多数のスタッフ全ての顔写真を目視確認することは不可能であり、入場証の貸し借りなど不正を取り締まることは困難だった。
【０００３】
また、特開２００１−１３４７９９号公報（特許文献１）では、ＩＤカードによる出退勤管理を行っていた。
【特許文献１】特開２００１−１３４７９９号公報
【発明の開示】
【発明が解決しようとする課題】
【０００４】
しかしながら、従来の入退場管理では、以下のような問題点があった。
（１）  顔写真を目視確認では、不正入退場を防ぐために、本人の顔と入場証の顔写真の同一人物確認を全ての入場者、退場者に対して行う必要があったが、顔写真の全件確認は非効率であり、実際は行われていない。特に、出入りの集中する時間帯には省略される作業であった。
（２）  特許文献１のように、ＩＤカードでのチェックを行ったとしても、入場許可されているＩＤカードなどの入場証の貸し借りによる不正入場を取り締まることは困難であった。例えば、当日休みまたは勤務時間外のスタッフの入場証を第三者に貸し与えることで、第三者がコンサート会場など不正入場することができ、これを防ぐことができなかった。また、複数の不正スタッフが存在した場合、勤務時間内のスタッフの入場証でも、複数の入場証をひとりの不正スタッフが会場内から持出し、第三者に貸し与えることで、第三者が不正入場することができた。
【０００５】
そこで、本発明の目的は、入退場時に、本人と顔写真のチェックを行わない場合でも、入場証の不正使用を警告表示として確認することができ、これにより、ゲート監視員の入退場チェック作業を軽減することができ、さらに入退場者集中時の入退場チェックの待ち時間を短縮することができる入退場管理サーバを提供することにある。
【課題を解決するための手段】
【０００６】
本願において開示される発明のうち、代表的なものの概要を簡単に説明すれば、次のとおりである。
【０００７】
本発明による入退場管理サーバは、制限区域のゲートに設置され、制限区域に入退場するスタッフが携帯するＩＣタグの情報を読み取るＩＣタグ読み取り装置からのＩＣタグ情報に基づいて、スタッフの入退場を管理する入退場管理サーバであって、入退場管理サーバは、ＩＣタグに紐付けしたスタッフの情報からなるスタッフ情報、ＩＣタグの読み取り履歴からなる入退場履歴情報を格納し、ＩＣタグ読み取り装置からのＩＣタグ情報、スタッフ情報、および入退場履歴情報に基づいて、制限区域内へのスタッフの入場に関する認証を行い、その認証結果をゲートに設置された認証結果表示装置に表示させるものである。
【発明の効果】
【０００８】
本願において開示される発明のうち、代表的なものによって得られる効果を簡単に説明すれば以下のとおりである。
【０００９】
本発明によれば、入退場時に、本人と顔写真のチェックを行わない場合でも、入場証の不正使用を警告表示として確認することができる。これにより、ゲート監視員の入退場チェック作業を軽減することができ、さらに入退場者集中時の入退場チェックの待ち時間を短縮できる。
【００１０】
また、本発明によれば、スタッフ間での入場証の貸し借りよる不正使用や、スタッフから第三者への入場証の貸与（または譲渡）による不正使用を防止することができる。
【発明を実施するための最良の形態】
【００１１】
以下、本発明の実施の形態を図面に基づいて詳細に説明する。なお、実施の形態を説明するための全図において、同一の部材には原則として同一の符号を付し、その繰り返しの説明は省略する。
【００１２】
＜入退場管理サーバを含む入退場管理システムの構成＞
図１〜図７により、本発明の一実施の形態に係る入退場管理サーバを含む入退場管理システムの構成について説明する。図１は本発明の一実施の形態に係る入退場管理サーバを含む入退場管理システムの構成を示す構成図、図２は本発明の一実施の形態に係る入退場管理サーバに格納されるスタッフ情報の一例を示す図、図３は本発明の一実施の形態に係る入退場管理サーバに格納される入退場履歴情報の一例を示す図、図４は本発明の一実施の形態に係る入退場管理サーバに格納される警告履歴情報の一例を示す図、図５は本発明の一実施の形態に係る入退場管理サーバに格納される作業予定情報の一例を示す図、図６は本発明の一実施の形態に係る入退場管理サーバに格納される作業場所情報の一例を示す図、図７は本発明の一実施の形態に係る入退場管理サーバに格納される業種情報の一例を示す図である。
【００１３】
図１において、入退場管理システムは、入退場管理サーバ７０、ゲート（ＩＣタグ読み取り装置であるＩＣタグリーダ内蔵）３０、認証結果表示装置４０から構成され、入退場管理サーバ７０、ゲート３０、認証結果表示装置４０はネットワーク装置６０により接続されている。入退場管理サーバ７０には、表示装置７７、入力装置７８が接続されている。
【００１４】
また、入場証１０は、ゲート３０を通過するスタッフ２０が携帯するものであり、ＩＣタグが内蔵されている。
【００１５】
スタッフ２０は、制限区域へ入場または退場するスタッフである。
【００１６】
ゲート３０は、制限区域の出入口に設置されたＩＣタグリーダが内蔵されたゲートである。なお、ゲート３０にはＩＣタグリーダを内蔵させず、ＩＣタグリーダは、ゲート３０を通過するスタッフ２０が携帯する入場証１０に内蔵されたＩＣタグの情報を読み取れる位置に設置されるようにしてもよい。
【００１７】
認証結果表示装置４０は、スタッフ２０が持つ入場証１０の入退場管理サーバ７０での認証結果を表示する。
【００１８】
ゲート監視員５０は、ゲート３０での入退場者の不正を監視する監視員である。
【００１９】
ネットワーク装置６０は、システムの構成要素を接続するネットワーク装置であり、ゲート３０、認証結果表示装置４０、入退場管理サーバ７０との情報の送受信を行う。
【００２０】
入退場管理サーバ７０は、スタッフ情報７１、入退場履歴情報７２、警告履歴情報７３、作業予定情報７４、作業場所情報７５、業種情報７６を格納し、ゲート３０での入場証１０に内蔵されたＩＣタグの読み取り情報を入力することで、認証結果を、認証結果表示装置４０へ出力する。このとき、ゲート３０での入場証１０に内蔵されたＩＣタグの読み取り情報を入退場履歴情報７２として格納する。さらに、警告と認証した情報を警告履歴情報７３として格納する。
【００２１】
入退場管理サーバオペレータ８０は、入退場管理サーバ７０に格納された、スタッフ情報７１、入退場履歴情報７２、警告履歴情報７３、作業予定情報７４、作業場所情報７５、業種情報７６を、表示装置７７、入力装置７８を用いてメンテナンスする。
【００２２】
警告メモ９０は、ゲート監視員５０が、警告認証となったスタッフ２０に確認した内容を記載する。入退場管理サーバオペレータ８０のメンテナンス作業に用いる。
【００２３】
スタッフ情報７１は、図２に示すように、入場証１０に内蔵されたＩＣタグとスタッフ２０の情報の紐付けテーブルであり、入場証１０に内蔵されたＩＣタグのユニーク番号であるＩＣタグ番号７１１をキーに、スタッフ番号７１２、スタッフ名７１３、顔写真画像７１４を格納する。
【００２４】
入退場履歴情報７２は、図３に示すように、入退場時の入場証１０に内蔵されたＩＣタグの読み取り履歴の蓄積テーブルであり、スタッフ番号７２１、読取日時７２２、読取モード７２３、読取ゲート番号７２４、無効化フラグ７２５を格納する。
【００２５】
警告履歴情報７３は、図４に示すように、入退場時の入場証１０に内蔵されたＩＣタグの読み取りで、警告認証となった履歴の蓄積テーブルであり、スタッフ番号７３１、読取日時７３２、警告種別７３３、無効化フラグ７３４を格納する。
【００２６】
作業予定情報７４は、図５に示すように、スタッフの作業予定の情報を蓄積したテーブルであり、スタッフ番号７４１、作業内容７４２、作業開始日時７４３、作業終了日時７４４、作業場所名７４５、業種名７４６を格納する。
【００２７】
作業場所情報７５は、図６に示すように、作業場所に対応するゲート番号との紐付けテーブルであり、作業場所名７５１をキーに、対応ゲート番号７５２を格納する。
【００２８】
業種情報７６は、図７に示すように、業種毎の情報の蓄積テーブルであり、業種毎に業種名７６１をキーに、入場制限回数７６２、差異許容時間７６３を格納する。
【００２９】
表示装置７７は、入退場管理サーバ７０の各情報などを表示する。
【００３０】
入力装置７８は、入退場管理サーバオペレータ８０からの入力情報などを入退場管理サーバ７０に入力する。
【００３１】
＜入退場管理サーバの動作の概要＞
まず、図１により、本発明の一実施の形態に係る入退場管理サーバの動作の概要について説明する。
【００３２】
入退場管理サーバ７０は、各スタッフの持つ入場証１０に内蔵されたＩＣタグのユニーク番号と、スタッフ２０のひとりひとりにユニークにつけられたスタッフ番号の紐付け情報からなるスタッフ情報７１と、各スタッフ２０の作業予定情報７４と、各スタッフ２０の入場および退場のＩＣタグ読み取り情報からなる入退場履歴情報７２と、各スタッフ２０の警告履歴情報７３、作業場所とゲート紐付け情報からなる作業場所情報７５と、業種とその業種の入場制限回数と差異許容時間からなる業種情報７６を格納している。
【００３３】
スタッフ２０が来場したときに、ゲート３０に内蔵されたＩＣタグリーダに、入場証１０に内蔵されたＩＣタグを読み取らせる。
【００３４】
入退場管理サーバ７０は、この入場証１０に内蔵されたＩＣタグの読み取りにより、入場証読取情報（ＩＣタグユニーク番号、読取日時、読取モード、読取ゲート番号）を入力し、入退場管理サーバ７０に格納されている、スタッフ情報７１、入退場履歴情報７２、警告履歴情報７３、作業予定情報７４、作業場所情報７５、業種情報７６から、当該スタッフ２０が不審者かどうか認証し、その認証結果情報を認証結果表示装置４０に出力する。このとき、入場証読取情報を入退場履歴情報７２に格納するとともに、認証結果が警告だった場合、警告履歴情報７３に格納する。
【００３５】
認証結果表示装置４０は、入退場管理サーバ７０からの認証結果情報を入力し、この認証結果情報を画面表示する。
【００３６】
ゲート監視員５０は、認証結果表示装置４０の認証結果情報を目視確認し、当該スタッフ２０が不審者でないか判断する。
【００３７】
認証結果情報に警告が含まれている場合、当該スタッフ２０と、入場証の顔写真を比較判定し、同一人物でなければ、不審者と断定する。同一人物の場合、作業内容について質疑し、そのやりとりを警告質疑情報として保存する。
【００３８】
入退場管理サーバオペレータ８０は、定期的に、警告質疑情報を確認し、質疑内容が正しいかどうかスタッフ２０の上長などに確認する。スタッフ２０の入退場が正当な場合、入退場管理サーバ７０に格納されている当該入退場履歴情報７２、および当該警告履歴情報７３を無効化する。
【００３９】
入退場管理サーバオペレータ８０は、定期的に、入退場管理サーバ７０に格納された警告履歴情報７３から、警告履歴情報の多いスタッフ２０を確認し、その上長に警告履歴情報の内容を報告する。
【００４０】
以上の動作により、入退場時に、本人と顔写真のチェックを行わない場合でも、入場証の不正使用を警告表示として確認することが可能である。これにより、ゲート監視員の入退場チェック作業を軽減することができ、さらに入退場者集中時の入退場チェックの待ち時間を短縮することが可能である。
【００４１】
＜入退場管理サーバの入場時および退場時における認証処理＞
次に、図８により、本発明の一実施の形態に係る入退場管理サーバの入場時および退場時における認証処理について説明する。図８は本発明の一実施の形態に係る入退場管理サーバの入場時および退場時における認証処理を示すフローチャートである。
【００４２】
スタッフの入場および退場における認証処理は、図２に示すように、以下のように処理される。
【００４３】
（ＩＣタグ読取：ステップ２０１）予めスタッフが携帯している入場証１０に内蔵されたＩＣタグを、ＩＣタグリーダを内蔵したゲート３０で読み取らせ、ＩＣタグ番号、読取日時、読取モード、読取ゲート番号を入退場管理サーバ７０へ入力する。
【００４４】
（スタッフ情報検索：ステップ２０２）ＩＣタグ番号、読取日時、読取モード、読取ゲート番号を入力した入退場管理サーバ７０は、そのＩＣタグ番号をキーにスタッフ情報７１を検索し、ＩＣタグ番号７１１に紐付けられたスタッフ番号７１２、スタッフ名７１３、顔写真画像７１４を入力する。また、スタッフ情報７１において、ＩＣタグ番号７１１はユニークキーとする。
【００４５】
（作業予定情報検索：ステップ２０３）入退場管理サーバ７０は、スタッフ番号７１２をキーに、作業予定情報７４を検索し、スタッフ番号７４１に紐付けられた作業内容７４２、作業開始日時７４３、作業終了日時７４４、作業場所名７４５、業種名７４６を入力する。
【００４６】
（作業場所情報検索：ステップ２０４）入退場管理サーバ７０は、作業場所名７４５をキーに、作業場所情報７５を検索し、作業場所名７５１に紐付けられた対応ゲート番号７５２を入力する。
【００４７】
（入退場履歴情報検索：ステップ２０５）入退場管理サーバ７０は、スタッフ番号７１２をキーに、入退場履歴情報７２を検索し、スタッフ番号７２１に紐付けられた読取日時７２２、読取モード７２３、読取ゲート番号７２４、無効化フラグ７２５を入力する。また、入退場履歴情報７２には、ユニークキーはないものとする。
【００４８】
（業種情報検索：ステップ２０６）入退場管理サーバ７０は、業種名７４６をキーに、業種情報７６を検索し、業種名７６１に紐付けられた入場制限回数７６２、差異許容時間７６３を入力する。
【００４９】
（警告履歴情報検索：ステップ２０７）入退場管理サーバ７０は、スタッフ番号７１２をキーに、警告履歴情報７３を検索し、スタッフ番号７３１に紐付けられた読取日時７３２、警告種別７３３、無効化フラグ７３４を入力する。また、警告履歴情報７３には、ユニークキーはないものとする。
【００５０】
（作業予定時間判定：ステップ２０８）入退場管理サーバ７０は、ステップ２０１でのＩＣタグ読取で得た読取モードが「入場」の場合、その読取日時が、ステップ２０３での作業予定情報検索で得た作業開始日時７４３の前後１時間（＝作業開始前後時間と定義し、システム内で変更設定可能とする）の範囲内かどうかを判定し、範囲内の場合、作業開始時間判定フラグ＝「正常」とし、範囲外の場合、作業開始時間判定フラグ＝「警告」とする。
【００５１】
また、入退場管理サーバ７０は、ステップ２０１でのＩＣタグ読取で得た読取モードが「退場」の場合、その読取日時が、ステップ２０３での作業予定情報検索で得た作業終了日時７４４の前後１時間（＝作業終了前後時間と定義し、システム内で変更設定可能とする。）の範囲内かどうかを判定し、範囲内の場合、作業終了時間判定フラグ＝「正常」とし、範囲外の場合、作業終了時間判定フラグ＝「警告」とする。また、作業開始時間判定フラグ、作業終了時間判定フラグは、入退場管理サーバ７０の内部変数であり、ステップ２１３での警告判定ありの判定に使用する。
【００５２】
（作業場所判定：ステップ２０９）入退場管理サーバ７０は、ステップ２０１でのＩＣタグ読取で得た読取ゲート番号が、ステップ２０４での作業場所情報検索で得た対応ゲート番号７５２群に含まれるかどうかを判定し、含まれている場合、作業場所判定フラグ＝「正常」とし、含まれていない場合、作業場所判定フラグ＝「警告」とする。また、作業場所判定フラグは、入退場管理サーバ７０の内部変数であり、ステップ２１３での警告判定ありの判定に使用する。
【００５３】
（入退場回数判定：ステップ２１０）入退場管理サーバ７０は、ステップ２０５での入退場履歴情報検索で得た入退場履歴情報７２から、その読取日時７２２が当日のレコード数を抽出し、ステップ２０６での業種情報検索で得た入場制限回数７６２以下かどうか判定し、以下の場合、入退場回数判定フラグ＝「正常」とし、超える場合、入退場回数判定フラグ＝「警告」とする。また、入退場回数判定フラグは、入退場管理サーバ７０の内部変数であり、ステップ２１３での警告判定ありの判定に使用する。
【００５４】
（異常入退場判定：ステップ２１１）入退場管理サーバ７０は、ステップ２０５での入退場履歴情報検索で得た入退場履歴情報７２から、ステップ２０１でのＩＣタグ読取で得た読取日時に一番近いレコードの読取モード７２３を抽出し、これとステップ２０１でのＩＣタグ読取で得た読取モードが同一でないか判定し、同一でない場合（つまり「入場→退場」、「退場→入場」となる場合）、異常入退場判定フラグ＝「正常」とし、同一の場合（つまり「入場→入場」、「退場→退場」となる場合）、異常入退場判定フラグ＝「警告」とする。また、異常入退場判定フラグは、入退場管理サーバ７０の内部変数であり、ステップ２１３での警告判定ありの判定に使用する。
【００５５】
（滞在時間判定：ステップ２１２）入退場管理サーバ７０は、ステップ２０１でのＩＣタグ読取で得た読取モードが「退場」の場合のみ判定処理を行う。入退場管理サーバ７０は、ステップ２０５での入退場履歴情報検索で得た入退場履歴情報７２と、ステップ２０１でのＩＣタグ読取で得た読取日時、読取モードから、後述する処理により滞在時間を算出し、ステップ２０３での作業予定情報検索で得た作業開始日時７４３、作業終了日時７４４から算出した作業予定時間（＝作業終了日時７４４−作業開始日時７４３）との差から滞在時間差異（＝滞在時間−作業予定時間）を算出し、ステップ２０６での業種情報検索で得た差異許容時間７６３以下かどうか判定し、以下の場合、滞在時間判定フラグ＝「正常」とし、超える場合、滞在時間判定フラグ＝「警告」とする。また、滞在時間判定フラグは、入退場管理サーバ７０の内部変数であり、ステップ２１３での警告判定ありの判定に使用する。
【００５６】
（滞在時間の算出）入退場管理サーバ７０は、ステップ２０５での入退場履歴情報検索で得た入退場履歴情報７２から、その読取日時７２２が当日のレコードを読取日時７２２の昇順で抽出する。抽出したレコード群の１レコード目の読取モード７２３が「退場」の場合、本レコードを抽出対象から除外し、１レコード目の読取モード７２３が「入場」となるまで繰り返す。２レコード目以降、読取モード７２３が、直前のレコードの読取モード７２３と同一でないか判定し、同一でない場合は次のレコードの処理を行い、同一の場合、当該レコードを抽出対象から除外する。これを最後のレコードまで繰り返す。これにより、抽出したレコード群は、読取日時７２２の昇順に、読取モード７２３が『「入場」、「退場」、「入場」、「退場」、・・・、「入場」』のように、「入場」と「退場」が交互に現れ、最初が「入場」で、最後も「入場」となる。このレコード群の最後に、ステップ２０１でのＩＣタグ読取で得た読取日時、読取モード（＝「退場」）のレコードを追加する。本レコード群（レコード総数をｎとする。）から、滞在時間を下記のように算出する。
【００５７】
【数１】
2007323141.tif 000003
（警告判定あり？：ステップ２１３）入退場管理サーバ７０は、ステップ２０８での作業予定時間判定、ステップ２０９での作業場所判定、ステップ２１０での入退場回数判定、ステップ２１１での異常入退場判定、ステップ２１２での滞在時間判定で、「警告」と判定されたものがない場合、正常認証と判断し、認証結果表示装置４０に、ステップ２１４により正常認証表示を行う。
【００５８】
また「警告」と判定されたものがひとつでも存在した場合、警告認証と判断し、ステップ２１５により認証結果表示装置４０に警告認証表示を行うとともに、ステップ２１６により警告履歴情報登録を行う。
【００５９】
（正常認証表示：ステップ２１４）入退場管理サーバ７０は、ステップ２０１でのＩＣタグ読取、ステップ２０２でのスタッフ情報検索、ステップ２０３での作業予定情報検索、ステップ２０５での入退場履歴情報検索、ステップ２０７での警告履歴情報検索で得た、読取日時、読取モード、読取ゲート番号、スタッフ情報７１、作業予定情報７４、入退場履歴情報７２、警告履歴情報７３を、認証結果表示装置４０に表示する。
【００６０】
（警告認証表示：ステップ２１５）入退場管理サーバ７０は、ステップ２０１でのＩＣタグ読取、ステップ２０２でのスタッフ情報検索、ステップ２０３での作業予定情報検索、ステップ２０５での入退場履歴情報検索、ステップ２０７での警告履歴情報検索で得た、読取日時、読取モード、読取ゲート番号、スタッフ情報７１、作業予定情報７４、入退場履歴情報７２、警告履歴情報７３と、判定フラグが警告となった警告判定種別（作業開始時間警告、作業終了時間警告、作業場所警告、入退場回数警告、異常入退場警告、滞在時間警告）を全て、認証結果表示装置４０に表示する。
【００６１】
（警告表示に対するゲート監視員の対応）ゲート監視員５０は、認証結果表示装置４０に、ステップ２１５での警告認証表示が表示された場合、当該スタッフ２０と、入場証１０の顔写真との本人比較を行い、本人でない場合、不正な入退場と判断し、警告メモ９０に警告理由を「不正」と記載し、不正者に対する運用上定められた処置（例：入場させない。別室での質疑など。）を行う。
【００６２】
本人だった場合、事情を確認し、警告メモ９０に警告理由として確認内容を記載し、警告者に対する運用上定められた処置（例：入退場させるが入退場管理サーバオペレータに連絡させるなど。）を行う。
【００６３】
（警告履歴情報登録：ステップ２１６）入退場管理サーバ７０は、「警告」と判定した警告判定種別毎に、警告履歴情報７３を、スタッフ番号７１２をキーに、スタッフ番号７３１に紐付けた読取日時７３２、警告種別７３３、無効化フラグ７３４を格納する。またこのとき、無効化フラグ７３４を「Ｏｆｆ」と格納する。
【００６４】
（入退場履歴情報登録：ステップ２１７）入退場管理サーバ７０は、ステップ２０１でのＩＣタグ読取で得た、読取日時、読取モード、読取ゲート番号および、ステップ２０２でのスタッフ情報検索で得た、スタッフ番号７１２を、入退場履歴情報７２として、スタッフ番号７１２をキーに、スタッフ番号７２１に紐付けた読取日時７２２、読取モード７２３、読取ゲート番号７２４、無効化フラグ７２５を格納する。またこのとき、無効化フラグ７２５を「Ｏｆｆ」と格納する。
【００６５】
＜無効化フラグによる無効化処理＞
次に、図９および図１０により、本発明の一実施の形態に係る入退場管理サーバの無効化フラグによる入退場履歴情報および警告履歴情報の無効化について説明する。図９は本発明の一実施の形態に係る入退場管理サーバの入退場履歴情報の無効化処理を示すフローチャート、図１０は本発明の一実施の形態に係る入退場管理サーバの警告履歴情報の無効化処理を示すフローチャートである。
【００６６】
図９および図１０に示す処理は、入退場管理サーバ７０の処理上では、警告判定されるが問題のない入退場履歴情報７２、警告履歴情報７３を、入退場管理サーバ７０で警告判定されないよう無効化するための処理であり、入退場管理サーバオペレータ８０が定期的に行う。
【００６７】
まず、入退場管理サーバオペレータ８０による入退場履歴無効化処理は、図９に示すように、以下のように処理される。
【００６８】
（入退場履歴情報検索：ステップ３０１）入退場管理サーバオペレータ８０は、ゲート監視員５０が作成した警告メモ９０を確認し、運用上定められた確認方法（例：本人との事情確認。本人の上長確認など。）で、システム上警告判定されるが問題のない無効化対象の入退場履歴情報７２を、表示装置７７、入力装置７８を用いて検索する。
【００６９】
（入退場履歴情報検索結果表示：ステップ３０２）入退場管理サーバ７０は、表示装置７７に、入退場履歴情報検索結果を表示する。
【００７０】
（入退場履歴修正情報入力：ステップ３０３）入退場管理サーバオペレータ８０は、表示装置７７、入力装置７８により検索結果を確認し、無効化対象の入退場履歴情報７２を選択し、入退場履歴修正情報入力する。
【００７１】
（入退場履歴情報登録：ステップ３０４）入退場管理サーバ７０は、ステップ３０３での入退場履歴修正情報入力で無効化入力された入退場履歴情報７２の、無効化フラグ７２５を「Ｏｎ」とする。無効化フラグ７２５＝「Ｏｎ」のレコードは、図８に示すステップ２０１〜ステップ２１７の処理において、検索および処理対象とはならないこととする。
【００７２】
また、入退場管理サーバオペレータ８０による警告履歴無効化処理は、図１０に示すように、以下のように処理される。
【００７３】
（警告履歴情報検索：ステップ４０１）入退場管理サーバオペレータ８０は、ゲート監視員５０が作成した警告メモ９０を確認し、運用上定められた確認方法（例：本人との事情確認。本人の上長確認など。）で、システム上警告判定されるが問題のない無効化対象の警告履歴情報７３を、表示装置７７、入力装置７８を用いて検索する。
【００７４】
（警告履歴情報検索結果表示：ステップ４０２）入退場管理サーバ７０は、表示装置７７に、警告履歴情報検索結果を表示する。
【００７５】
（警告履歴修正情報入力：ステップ４０３）入退場管理サーバオペレータ８０は、表示装置７７、入力装置７８により検索結果を確認し、無効化対象の警告履歴情報７３を選択し、警告履歴修正情報入力する。
【００７６】
（警告履歴情報登録：ステップ４０４）入退場管理サーバ７０は、ステップ４０３での警告履歴修正情報入力で無効化入力された警告履歴情報７３の、無効化フラグ７３４を「Ｏｎ」とする。無効化フラグ７３４＝「Ｏｎ」のレコードは、図８に示すステップ２０１〜ステップ２１７の処理において、検索および処理対象とはならないこととする。
【００７７】
以上の処理により、入退場管理サーバ７０の処理上では、警告判定されるが問題のない入退場履歴情報７２、警告履歴情報７３は、無効化フラグにより無効化され、例えば、図３に示すように、読取モード７２３が、入場−入場となっていても、退場時にゲート３０の故障などで、入場証１０に内蔵されたＩＣタグが読み取れなかった場合などで、このようなデータとなることもあり、このような問題のない情報は、その後は無視されて処理されるため、無駄な警告表示を低減させることができ、ゲート監視員５０の負担を軽減させることが可能となる。
【００７８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００７９】
本発明は、制限区域への入退場管理を行う入退場管理サーバに関し、ＩＤカードなどを利用する一般的な入退場管理業務を行う装置に適用可能である。
【００８０】
また、セキュリティレベルが比較的低く、多数のスタッフが出入する環境化で、スタッフの不正を防ぎたい場合に特に有効であり、このような場合においても、監視員数を最小限とし対応できる。
【図面の簡単な説明】
【００８１】
【図１】本発明の一実施の形態に係る入退場管理サーバを含む入退場管理システムの構成を示す構成図である。
【図２】本発明の一実施の形態に係る入退場管理サーバに格納されるスタッフ情報の一例を示す図である。
【図３】本発明の一実施の形態に係る入退場管理サーバに格納される入退場履歴情報の一例を示す図である。
【図４】本発明の一実施の形態に係る入退場管理サーバに格納される警告履歴情報の一例を示す図である。
【図５】本発明の一実施の形態に係る入退場管理サーバに格納される作業予定情報の一例を示す図である。
【図６】本発明の一実施の形態に係る入退場管理サーバに格納される作業場所情報の一例を示す図である。
【図７】本発明の一実施の形態に係る入退場管理サーバに格納される業種情報の一例を示す図である。
【図８】本発明の一実施の形態に係る入退場管理サーバの入場時および退場時における認証処理を示すフローチャートである。
【図９】本発明の一実施の形態に係る入退場管理サーバの入退場履歴情報の無効化処理を示すフローチャートである。
【図１０】本発明の一実施の形態に係る入退場管理サーバの警告履歴情報の無効化処理を示すフローチャートである。
【符号の説明】
【００８２】
１０…入場証（ＩＣタグ内蔵）、２０…スタッフ、３０…ゲート（ＩＣタグリーダ内蔵）、４０…認証結果表示装置、５０…ゲート監視員、６０…ネットワーク装置、７０…入退場管理サーバ、７１…スタッフ情報、７２…入退場履歴情報、７３…警告履歴情報、７４…作業予定情報、７５…作業場所情報、７６…業種情報、７７…表示装置、７８…入力装置、８０…入退場管理サーバオペレータ、９０…警告メモ、７１１…タグ番号、７１２…スタッフ番号、７１３…スタッフ名、７１４…顔写真画像、７２１…スタッフ番号、７２２…読取日時、７２３…読取モード、７２４…読取ゲート番号、７２５…無効化フラグ、７３１…スタッフ番号、７３２…読取日時、７３３…警告種別、７３４…無効化フラグ、７４１…スタッフ番号、７４２…作業内容、７４３…作業開始日時、７４４…作業終了日時、７４５…作業場所名、７４６…業種名、７５１…作業場所名、７５２…対応ゲート番号、７６１…業種名、７６２…入場制限回数、７６３…差異許容時間。
【図１】
2007323141.tif 000004
【図２】
2007323141.tif 000005
【図３】
2007323141.tif 000006
【図４】
2007323141.tif 000007
【図５】
2007323141.tif 000008
【図６】
2007323141.tif 000009
【図７】
2007323141.tif 000010
【図８】
2007323141.tif 000011
【図９】
2007323141.tif 000012
【図１０】
2007323141.tif 000013